(57)【特許請求の範囲】
【請求項１】
ゲート排出体に商品を供給するコンベヤーのトレイに沿って移動する商品を分配するためのゲート排出体であって、
コンベヤーのトレイと同時の往復及び前記コンベヤーのトレイに対する回転が可能に設置された排出部材、並びに
排出部材の長さ方向に存在する排出開口部であって、排出開口部をとおり、排出部材を越えて商品を選択的に排出するための排出開口部、
を含んで成る、ゲート排出体。
【請求項２】
商品を移動し、そして一対の下流の流れの間に商品を選択的に分配する両方を実施するためのゲート排出体をもつコンベヤーであって、
商品を支持するためのコンベヤーのトレイ、
トレイの往復運動に対応して移動可能な排出部材、
コンベヤーのトレイ及び排出部材に沿って商品を移動するためにコンベヤーのトレイ及び排出部材の双方を往復させるための動力付き駆動機構、
コンベヤーのトレイに対して排出部材を回転させるための動力付き駆動機構、並びに、
１つの下流の流れ中のゲート排出開口部をとおる商品の排出のためそして、もう一つの下流の流れ中の排出部材の下流末端からの商品の排出のための位置への、排出部材の選択的な回転時に移動可能な、排出部材中のゲート排出開口部を具備し、排出開口部の位置が流れの間に分配された商品の容量を決定する、
を含んで成るコンベヤー。
【請求項３】
第１及び第２の下流の受け取り流れの間に、上流のコンベヤーのトレイに沿って移動している商品を分配する方法であって、
上流のコンベヤーのトレイに連結され、上流のコンベヤーのトレイと同時の往復運動のために設置された排出部材を提供すること、
第１の下流の流れに、それをとおる商品の関連した排出のために、排出部材中にゲート排出開口部を提供すること、
第１の下流の受け取り流れに、そこをとおる商品の選択された排出のために、選択された位置にゲート排出開口部を配置するために、上流のコンベヤーのトレイに対して排出部材を回転させること、
第２の下流の受け取り流れに排出開口部を越えて、残りの商品を通過させること、
を含んで成る方法。
【発明の詳細な説明】
【０００１】
【関連出願に対する参照】
本出願は、１９９９年２月１７日出願の第０９／２５１，５１６号、現在の２０００年、９月１９日開示の米国特許第６，１１９，８４９号の継続出願である、２０００年９月１９日出願の第０９／６６５，１４２号の部分継続出願である。
【０００２】
【発明の属する技術分野】
本発明は、商品を管状の排出部材へ供給コンベヤーに沿って循環式に移動させる型の供給コンベヤーのための改良ゲート機構に関する。より具体的には、本発明は、ゲート排出開口部をもつ回転可能な管状排出部材をもち、そして特に、脆弱な商品を運搬そして放出するようになっている、ゲート機構に関する。
【０００３】
【従来の技術】
様々な型のゲート機構が具体的な型のコンベヤーに対して工夫されてきた。スクリューコンベヤー及び米国特許第３，５８６，１５５号明細書に開示の型のコンベヤーのような、概括的に管状の構造をもつコンベヤーは、開放ゲートをとおって製品を排出させるかもしくは閉鎖ゲートから下流に製品を移動させるかどちらかのために、回転ゲート機構を使用することができる。様々な型の回転ゲート機構が、米国特許第１，４０１，１５５号、３，０７４，５３４号、３，０７７，９７５号、及び３，３４２，３１５号明細書に開示されている。米国特許第４，０２３，６７５号明細書はチェーンコンベヤーとともに使用のためのスライドドアを開示している。米国特許第３，７３１，７８７号明細書はセンサーの付いたスライドゲートを開示している。
【０００４】
次第に一般的になってきた型のコンベヤーは実質的に平坦なトレイの床及び、トレイの床に沿って商品を移動させるために循環式に動力を与えられた循環式動力駆動機構を使用している。このような循環式動力トレイを使用する一つの型のコンベヤーは振動式コンベヤーであり、同様な循環式動力トレイを使用するもう一つの型のコンベヤーは直線移動コンベヤーである。振動式及び直線移動式コンベヤーは双方とも一般に、向かい合う側面をもつ実質的に平坦なトレイの床を使用し、従って、時々、トラフ型コンベヤーと呼ばれる。振動式コンベヤーのストロークは比較的短く、具体的には約１／16インチ（１６ｍｍ）であり、そのため、トレイは商品に上方及び前方の移動を与える。トレイは、商品がトレイの床と接触を外れた間にその元の位置に復帰する。直線運動式コンベヤーは、具体的には約１．５インチ（４ｃｍ）の範囲のずっと長いストロークをもち、商品を前方に緩徐に移動させ、商品がトレイの床を滑動する間にトレイを急速に戻す。トラフ型コンベヤーのスライドゲートは米国特許第２，７１６，７４１号明細書に開示されている。平坦なトレイの床をもつコンベヤーのための、より複雑で特別な型のゲートは米国特許第３，０４２，３６０号、３，３１５，７９２号及び３，５１１，３０３号明細書に開示されている。
【０００５】
平坦なトレイの床をもつコンベヤーの通常のゲート機構は産業におけるそれらの許容性を限定してきた様々な問題をもつ。伝統的なゲート機構は完全に開放したもしくは完全に閉鎖した位置で作動することを意図されている。この制限がコンベヤーから下流の装置が製品の一定の流れを受け取ることを妨げ、従って低い生産効率をもたらす。幾つかのコンベヤー製造業者はコンベヤーの床に三角形の切り込みを使用し、ゲート機構を完全開放位置と完全閉鎖位置の間の選択された間隔に配置させることによりこの問題を克服しようと試みた。このような三角形の切り込みの使用は、コンベヤーの長さに沿った膨大な空間を要し、更に、比較的長い移動の間、ゲートを滑動させることができる線状アクチュエーターを要する。
【０００６】
平坦なトレイの床をもつトラフ型コンベヤーのスライド型のゲート機構に伴う重要な問題は、閉鎖位置においてゲートを完全に閉鎖することが不可能性であることに関与する。トラフ型コンベヤーは通常、スナック食品を運搬するために使用され、これらの商品に伴う微細粒子が、高度な衛生が重要な場合に、増大する問題を引き起こした。幾つかの会社は、運搬された商品に伴う塵のような望ましくない粒子の、閉鎖されたゲートからもう１つの製品ライン中への漏洩を妨げるための特別な装置を要求した。トラフ型コンベヤーと接合された多数のスライドゲートは、ゲートが閉鎖されている間に製品がゲートを通過するために、閉鎖位置にある時にゲート領域を閉鎖することが困難である。従って、製品はゲート閉鎖領域で混雑し、製品の破損及び物質の蓄積の双方をもたらして、ゲートの完全な閉鎖を妨げる。関連した問題は、ゲートの閉鎖装置が、ゲートが部分的もしくは完全に開放されている時に、通常、製品にさらされることである。製品がゲート閉鎖装置を通過する時に、閉鎖装置の材料が摩耗して、それによりゲートが閉鎖位置にある時に信頼できる閉鎖が実質的に形成されることを妨げる。
【０００７】
先行技術の欠点は本発明により克服され、トラフ型のコンベヤーのための改良ゲート機構を以下に開示する。本発明のゲート機構はコンベヤー上に配置され、振動性コンベヤーもしくは水平移動コンベヤーのどちらにも使用することができる。改良ゲート機構は長い寿命及び信頼できる操作性を提供するために最少の部品を有する。
【０００８】
【発明の要約】
本発明のゲート構造物もしくは機構は細長いトレーに沿って脆弱な商品を移動させるためのコンベヤーによる使用に特に適し、コンベヤーに沿って固定された回転ゲート機構を含む。トレーに操作可能性に連結された動力駆動機構はコンベヤーに沿って脆弱な商品を循環式に移動させるために有効であり、排出された商品は同様に動力により駆動される下流のトレーに沿って移動することができる。本発明のゲート機構は、円形の排出管の周囲の約１２０度に形成されたゲート排出開口部をもつ一体式の円形の排出管もしくは部材を含んで成る。円形の排出管は下流のトレー上に配置され、所望の位置に回転される。開口部がその一番下の中心位置にある時には、運搬される商品の全容量をゲート開口部をとおってトレー上に排出することができる。開口部が、円形排出管の回転によりその一番上の中心位置に配置される時には、円形排出管に沿って運搬される商品の全容量はゲート排出開口部を越えて移動し、商品はゲート排出開口部をとおって下方のトレー上には排出されない。その結果、商品の全容量は円形排出管の下流末端からもう１つの下流のコンベヤー上に排出される。円形排出管はどんな所望の百分率もしくは割合の商品をも排出するための、どんな所望の中間位置にでも回転させることができ、従って下流の各トレー上に所望の容量の商品を提供する。ゲート排出開口部を越えて移動する商品は円形排出管の下流末端から第２の下流コンベヤー上に排出させることができる。
【０００９】
動力駆動機構は、円形排出管に沿ってそしてゲート排出開口部中もしくはそれを越えて商品を移動させるために円形排出管を往復させるために、円形排出管に操作可能に接続されている。駆動機構は円形排出管に沿った商品の運搬のための排出管の往復に依存する。前記のように、ゲート排出開口部はトレー上への商品のすべてもしくは所望の部分の排出のためのあらゆる所望の位置への円形排出管の選択的回転により配置させることができる。コンベヤー上に排出された商品の深度を感知するために、コンベヤーの長さに沿ってセンサーを提供することができ、センサーからのデータはゲート排出開口部をとおる排出される商品の容量を制御するために、ゲート排出開口部の所望の位置に円形排出管の回転を制御するように、コンピューターにより処理することができる。
【００１０】
【発明が解決しようとする課題】
本発明の目的は、商品がゲート排出開口部からその上に排出される、下方のコンベヤーのトレー上で容易に集成しそしてある位置から分解することができる、簡単なゲート機構を提供することである。
【００１１】
円形排出管もしくは部材中のゲート開口部からコンベヤー上への、商品の排出期間中の、コンベヤーにより運搬される商品に対する損傷を最少にする、コンベヤーのためのゲート機構を提供することが更なる目的である。
【００１２】
更なる目的は、コンベヤーにどんな変更もしくは修飾をも与えずにコンベヤー上に容易に設置することができ、それにより、既存の循環式動力コンベヤーにより容易に使用されるゲート機構のための簡易フックもしくは接合手順を提供するようなゲート機構の提供である。
【００１３】
本発明の更にもう一つの目的は、商品を受け取るためのトレイの床をもつ循環式に移動可能なトレイをもつコンベヤー上に、排出管中の排出開口部からの脆弱な商品の排出のための一体式の円形の管を提供することである。
【００１４】
【課題を解決するための手段】
本発明の特徴物は、円形排出管に沿った商品の移動が、円形排出部材の往復により、そして、円形排出管中の排出開口部からの排出のために円形排出管に沿った商品の移動にどんな別の部材をも必要とせずに得られる、排出管中の開口部からの脆弱商品の排出のために、コンベヤー上に円形排出管を提供することである。
【００１５】
ゲート機構が振動性コンベヤーもしくは直線運動コンベヤーのどちらかとともに使用することができることが本発明の特徴物である。本発明の関連した特徴物は、ゲート排出機構が食品加工業で使用されるトラフ型コンベヤーと一緒の使用に十分に適することである。本発明のもう一つの特徴物は、ゲート排出機構が、円形排出管から下方のコンベヤーのトレイ上への商品の部分的排出を調節するために、円形排出管もしくは部材の回転に対し、容易に、信頼性に制御することができることである。更にもう一つの本発明の特徴物は、コンベヤーのどんな修飾をも伴わずに、ゲート排出機構を容易に集成及び分解をすることできることである。
【００１６】
本発明の重要な利点は、ゲート排出機構が簡単で、唯一の円形排出管もしくは部材を使用していることである。このような配列は著しく信頼性で、比較的安価に、長寿命を提供される。
【００１７】
本発明の以上のそして更なる目的、特徴物及び利点は、付記の図面中の図を参照される、以下の詳細な説明から明白になるであろう。
【００１８】
【好ましい態様の簡単な説明】
本発明をより良く理解するための図面において、図１及び２は、コンベヤー１２及び１４を受け取る一対の直線運動のトラフ型製品上に配置された、全体的に１０で示したゲート排出構造物もしくは機構をもつ本発明のコンベヤーシステムを表す。コンベヤー１２、１４はそれぞれ、実質的な平坦な床１６及び、床１６から上方に伸長する平行な側面１８に区画されたトレイ１５を含む。ゲート排出構造物もしくは機構１０は全体的に２２で示したゲート排出管もしくは部材に連結された、全体的に２０で示した供給物供給アセンブリーを含む。供給物供給アセンブリー２０は、適切なホッパー２６から、ポテトチップスのような脆弱な商品を受け取るための上流のコンベヤートレイを区画している開放供給トラフ２４を含む。
【００１９】
図３に示すコンベヤー１２は調節可能な脚部３８上に支持された土台３６を含む。駆動モーター４０のような動力駆動機構は、側面１８に連結されたリンクもしくはトレイ支持体４４にクランクアーム４２により連結されている。リンク４６はまたトレイ１５を支持し、トレイ１５に旋回可能に連結されている。同様な駆動機構がコンベヤー１４にも提供されている。コンベヤー１２及び１４は直線運動コンベヤーとして示され、動力駆動機構がトレイ１５を前方に緩徐に、そして次に、後方により急速に、トレイ１５の後方への移動期間中にトレイに沿って商品を滑動させながら、循環式に移動させる。制御ステーション４８が土台３６上に設置され、オペレーター制御装置５０が駆動機構に対するモーター４０の操作を制御するための動力駆動機構に提供されている。コンベヤー１２及び１４の双方の操作に対して唯一の制御ステーション４８をもつことが望ましいかも知れないが、コンベヤー１４はコンベヤー１２と同様に操作される。
【００２０】
供給物供給アセンブリー２０の、上流のトラフもしくはコンベヤー２４中に排出されたホッパー２６からの製品もしくは商品は、所望に応じて、下流のコンベヤー１２と１４の間で容量により比例分配することができる。トラフもしくは供給物コンベヤー２４は閉鎖端２５をもつ概括的に半円形であることができ、前以て決めることができる所望の容量の割合で、商品をコンベヤー１２及び１４上に排出するために、ゲート排出管２２に商品を供給する。トラフ２４は開放されて示されているが、衛生的理由により所望に応じて閉鎖することができる。ゲート排出管２２は、商品をトラフ２４に沿ってゲート排出管２２に移動させるための同時の往復の縦の移動のために、供給物供給アセンブリー２０に連結されている。
【００２１】
特に図４に示すように、トラフ２４及びゲート排出管２２を循環式もしくは往復関係に後及び前に移動させるために動力駆動機構がトラフ２４に接続されている。土台５２は調節可能な脚部５４をもつ。リンク５６及び５８が片方の端でトラフ２４上の適したブラケット６０に、そして下方の端で土台５２に旋回可能に連結されている。モーター６４がリンク５６に連結されたクランクアーム６６を駆動する。トラフ２４及び管２２はアーチ型の床をもち、モーター６４はトラフ２４及び管２２を前方に緩徐に、そして次に、トラフ及び管の後方移動中にトラフ２４及び管２２に沿って商品を滑動させながら、循環状もしくは往復状に、後方により急速に移動させるのに有効である。商品は管２２及びトラフ２４の循環状のもしくは往復運動によってのみ移動され、これらの移動のために他のどんな手段も必要とされないしもしくは使用されない。土台５２上に制御ステーション６７が設置され、オペレーター制御装置６８が供給物トラフ２４及び管２２の同時の縦の移動のための駆動機構の操作を制御するために提供されている。
【００２２】
管２２はトラフ２４に対する所望の位置への選択的回転のために設置されている。具体的に図６に示すように、トラフ２４はトラフ２４にブラケット７４により固定された固定板７２を有する。板７２上に固定された３個の軸受け７５がロール７７のためのロール軸７６を受け入れる。管２２はトラフ２４に対する管２２の回転を許すための、ロール７７中のｖ−型の溝に嵌合するその外側周囲上に固定された取り付けリング８０を有する。駆動機構は板７２及びトラフ２４上に固定された電気モーター８６を含む。モーター８６はロール７７上に支持された管２２及びリング８０の回転のための管２２に固定されたリングのギア９０と噛み合う駆動ギア８８を駆動する。システムから取り外した管２２を図１０に示す。リング８０は、リング８０をその上に設置する前に、一緒に溶接した２個の半円から形成することができる管２２の周囲に固定されている。
【００２３】
管２２は管２２の周囲に沿って約１２０度にわたり、管２２の壁を破って伸長するアーチ型のゲート排出開口部９２を有する。ゲート排出開口部９２の幅Ｗはその全体のアーチ型の長さをとおして一定である。あらゆる所望の量の商品を開口部９２からコンベヤー１２中に排出することができ、開口部９２をとおって排出されない、残りのあらゆる商品は管２２の下流末端からコンベヤー１４上に排出される。図１及び４は、ゲート開口部９２が管２２に沿って移動しているすべての商品の下方に位置し、すべての商品がゲート排出開口部９２をとおってコンベヤー１２上に排出される、その一番下方に中心がある位置のゲート開口部９２を示す。図７においては、ゲート排出開口部９２は管２２に沿って移動するすべての商品の上方の、その一番上に中心がある位置に配置され、あらゆる商品がゲート排出開口部９２をとおってコンベヤー１２上に排出されずに、すべての製品もしくは商品が管２２の下流端からコンベヤー１４上に排出される。
【００２４】
ゲート排出開口部の幅Ｗはテーパーすることができ、それにより、製品の落下通過のより良い制御のために円周を変動させることができるであろう。図１１はこの目的を満たすためのテーパーした上流の端の面９３を表す。更に、図１１は、開口部９２からのフィン９５の左側への商品の落下を妨げるかもしくは最少にするために、縁９４に隣接した縦に分割するフィン９５を示している。従って、フィン９５は図９に示すように、管２２の表面から数インチ以上上方に（半径方向に内側に）伸長することができる。フィン９５は、落下する製品の、開口部９２から下流に継続していく製品の比率を均一に制御しながら、製品の流れを２本の流れに均一に分割するためのガイドとして働く。図１２は三角形の上流部分及び概括的に長方形の下流部分をもつフィン９５を表す。フィンの上流部分は製品の損傷を最少にするようになっている。図１２に示すように、フィン９５は開口部９２の上流から開口部９２の下流に伸長している。図１１は排出開口部９２のための分割フィン９５及びテーパーした上流の縁の面９３の双方を示すが、各特徴物はまた、製品の落下通過速度の制御に寄与するので、これらの特徴物は相互に独立して使用することができる。
【００２５】
図８及び９においては、ゲート排出開口部９２が図１及び４の一番下の位置と、図７に示した一番上の位置との間の中間位置に示されている。ゲート排出開口部９２の一部のみが商品の下方にあるので、商品の一部のみが、開口部９２をとおってコンベヤー１２上に排出され、残りの商品は管２２の下流末端から排出される。あらゆる所望の量もしくは容量の商品を、管２２の選択的な回転により、ゲート排出開口部９２をとおってコンベヤー１２上に排出することができることは明白である。
【００２６】
商品の容量は、モーター８６による管２２の回転により制御されるゲート排出開口部９２の位置からコンベヤー１２と１４の間に２本の流れに比例分配することができる。図３に示したセンサー９７及び９８のような複数の容量深度測定センサーをコンベヤー１２及び１４上に配置することができ、コンベヤー１２及び１４に沿って移動している製品もしくは商品に接触せずに、運搬されている商品の上部層を感知することによる商品の深度の測定のための二重光学アイ（dual photo eyes）を使用することができる。コンベヤー１２及び１４は秤もしくは袋詰めのための所望の製品速度を達成するために速度を上げたり遅くしたりすることができる。追加のセンサーを所望に応じて付けることができる。コンベヤー１２及び１４は排出管２２から商品を受け取るように示されているが、所望の場合には、ホッパーもしくは袋のようなその他の部材が排出管２２からの商品を受け取ることもできることは理解することができる。
【００２７】
システムを操作するためには、オペレーターインプット用キーボード１０２、コンピューター１０４及びディスプレー画面１０６を含むために、制御パネル１００を提供することができる。コンベヤー１２、１４及びトラフ２０の速度を決定するための操作パラメーターをコンピューター１０４中に貯蔵することができる。コンベヤー１２、１４のための駆動モーター４０からのそして駆動モーター６４からのセンサー９７、９８からのインプット信号はゲート排出開口部９２の位置に関する処理のためにコンピューター１０４により受信される。モーター８６に対する出力信号はセンサー９７、９８及び駆動モーター４０及び６４に反応して、コンベヤー１２及び１４の間に商品の容量を比例分配するための所望の位置へのゲート排出開口部９２の回転のために有効である。コンベヤー１２、１４及びトラフ２０はまた、制御パネル４８及び６７から手動で操作することもできる。モーター８６もまた、所望の場合には、制御パネル６７から手動で制御することができる。
【００２８】
以上から、コンベヤー１２及び１４のような一対の受け取り部材間に商品の容量を比例分配するためのゲート排出開口部の所望の位置に供給コンベヤーに対して回転される、その中にゲート排出開口部９２をもつ一体式の管２２を使用することができる簡略なゲート機構が提供されたことは明白である。所望の場合には、追加の受け取り部材及び追加のゲート排出開口部を提供することができるであろう。ゲート排出機構は通常の直線運動コンベヤーのような受け取り部材上に容易に集成される。排出部材は円形の断面をもつ一体式管２２として図示されているが、八角形、五角形及びＣ形を含む様々な形態の非円形部材のような、その他の排出部材が満足に機能するであろうことは明白である。
【００２９】
本発明の好ましい態様を詳細に説明したが、提唱された態様の修飾及び改良が当業者に思い付かれるであろうことは明白である。しかし、これらの修飾及び改良が以下の請求の範囲に示される本発明の精神及び範囲内に入ることは明らかに理解することができる。
【００３０】
本発明の特徴及び態様を以下に示す。
１．  ゲート排出体に商品を供給するコンベヤーのトレイに沿って移動する商品を分配するためのゲート排出体であって、
前記コンベヤーのトレイと同時の往復及び前記コンベヤーのトレイに対する回転が可能に設置された排出部材、並びに
前記排出開口部をとおり、前記排出部材を越えて商品を選択的に排出するための前記排出部材中の排出開口部、
を含んで成る、ゲート排出体。
２．  前記ゲート排出開口部をとおる商品の排出のために所望の位置に前記排出開口部を配置するために、前記コンベヤーに対して前記部材を回転させるための動力付き駆動機構、
を更に含んで成る、第１項記載のゲート排出体。
３．  前記コンベヤーに沿い、そして前記排出部材に沿った商品の移動のために前記排出部材及び前記コンベヤーを同時に往復させる動力付き駆動機構、を更に含んで成り、そこで、前記動力付き駆動機構が前記コンベヤー及び排出部材を緩徐な前方への移動及び次の、より急速な後方への移動に有効である、第１項記載のゲート排出体。
４．  前記排出部材が概括的に管状の形態をもつ、第１項記載のゲート排出体。
５．  前記排出部材が概括的にスリーブ形の形態をもつ、第４項記載のゲート排出体。
６．  前記排出開口部が前記排出部材に沿って少なくとも９０度だけ円周上に伸長している、第１項記載のゲート排出体。
７．  前記排出開口部がテーパーした上流の縁の面をもつ、第１項記載のゲート排出体。
８．  排出開口部に隣接した排出部材に固定され、排出部材から内側に伸長している縦に伸長しているフィンを更に含んで成る、第１項記載のゲート排出体。
９．  商品を移動し、そして一対の下流の流れの間に商品を選択的に分配する両方を実施するためのゲート排出体をもつコンベヤーであって、
商品を支持するためのコンベヤーのトレイ、
トレイの往復運動に対応して移動可能な排出部材、
前記コンベヤーのトレイ及び前記排出部材に沿って前記商品を移動するためにコンベヤーのトレイ及び排出部材の双方を往復させるための動力付き駆動機構、前記コンベヤーのトレイに対して前記排出部材を回転させるための動力付き駆動機構、並びに、
１つの下流の流れ中の前記ゲート排出開口部をとおる商品の排出のためそして、もう一つの下流の流れ中の前記排出部材の下流末端からの商品の排出のための位置への、前記排出部材の選択的な回転時に移動可能な、前記排出部材中のゲート排出開口部を具備し、前記排出開口部の位置が流れの間に分配された商品の容量を決定する、
を含んで成るコンベヤー。
１０．  前記ゲート排出開口部が前記排出部材の周囲に少なくとも９０度だけ伸長している、第９項記載のコンベヤー。
１１．  前記排出開口部がテーパーした上流の縁の面をもつ、第９項記載のコンベヤー。
１２．  排出開口部に隣接した排出部材に固定され、排出部材から内側に伸長している、縦に延伸しているフィン、
を更に含んで成る、第１１項記載のコンベヤー。
１３．  前記排出部材が向かい合う開放末端をもち、前記の一方の末端が前記ゲート排出開口部をとおる商品の選択的な排出のための商品を受け取る上流の端であり、前記排出部材の他方の末端が前記ゲート排出開口部をとおって排出されない残りの商品を排出するための下流の端である、第９項記載のコンベヤー。
１４．  前記ゲート排出開口部から排出された商品を受け取るための、前記ゲート排出開口部の下方の、受け取りコンベヤー、及び
前記受け取りコンベヤーに沿った商品の移動のために前記受け取りコンベヤーを往復させるための動力付き駆動機構、
を更に含んで成る、第９項記載のコンベヤー。
１５．  前記受け取りコンベヤーに沿って移動している商品の上部レベルを感知し、前記受け取りコンベヤーに沿って移動している商品の容量に関する信号を発信するためのセンサー、及び、
前記排出部材の回転を制御し、そしてそれにより、前記受け取りコンベヤー上に前記ゲート排出開口部をとおって排出される商品の容量を制御するための前記信号に反応する制御装置、
を更に含んで成る、第１４項記載のコンベヤー。
１６．  第１及び第２の下流の受け取り流れの間に、上流のコンベヤーのトレイに沿って移動している商品を分配する方法であって、
前記上流のコンベヤーのトレイに連結され、前記上流のコンベヤーのトレイと同時の往復運動のために設置された排出部材を提供すること、
前記第１の下流の流れに、それをとおる商品の関連した排出のために、前記排出部材中にゲート排出開口部を提供すること、
前記第１の下流の受け取り流れに、そこをとおる商品の選択された排出のために、選択された位置に前記ゲート排出開口部を配置するために、前記上流のコンベヤーのトレイに対して前記排出部材を回転させること、
前記第２の下流の受け取り流れに前記排出開口部を越えて、残りの商品を通過させること、
を含んで成る方法。
１７．  前記ゲート排出開口部から排出される商品の容量を感知し、排出される商品の容量を示す信号を発信すること、及び
それにより、前記ゲート排出開口部をとおって排出される商品の容量を制御するために前記信号に反応して前記管状の排出体部材の回転を制御すること、
を更に含んで成る、第１６項記載の方法。
１８．  コンベヤーのトレイに沿って商品を移動させるために、前方に比較的遅い速度で、そして後方に比較的速い速度で往復させるために、前記コンベヤーのトレイ及び前記排出部材に動力をかけること、
を更に含んで成る、第１６項記載の方法。
１９．  前記ゲート排出開口部から排出される商品を受け取るために、前記ゲート排出開口部の下方に受け取りコンベヤーを提供すること、
を更に含んで成る、第１６項記載の方法。
２０．  前記受け取りコンベヤーに沿って商品を移動させるために、前方には比較的遅い速度で往復させ、そして後方には比較的早い速度で往復させるように前記受け取りコンベヤーに動力をかけること、
を更に含んで成る、第１９項記載の方法。
【図面の簡単な説明】
【図１】本発明のコンベヤーシステムの側面図であり、ゲート排出管もしくは部材から脆弱な商品を受け取るためのトレイをもつ、一対の直線運動のコンベヤー上に設置されたゲート排出機構もしくは構造物を示している。
【図２】直線運動コンベヤー上のゲート排出部材を示す図１のコンベヤーシステムの上面図である。
【図３】ゲート排出部材もしくは管の下方の、直線運動コンベヤーのための駆動機構の、一部分スキームによる、側面立面図である。
【図４】ゲート排出部材及び、ゲート排出部材に接合された供給物トラフを同時に往復させるための、供給物トラフのための駆動機構の一部分スキームによる側面立面図である。
【図５】概括的に図４の線５−５に沿って見たゲート排出部材及び供給物トラフの末端立面図であり、ゲート排出部材に脆弱な商品を供給するための供給物トラフに対してゲート排出部材を回転させるための駆動装置を示している。
【図６】  供給物トラフに対するゲート排出管の回転のための駆動機構を示す図５の拡大破断図である。
【図７】開口部をとおって商品の非排出位置へ商品上をゲート排出開口部の一番上の位置に回転されたゲート排出開口部及びゲート排出部材を示す側面立面図であり、ここで、すべての商品がゲート排出部材の下流末端から排出される。
【図８】商品の容量が２種のコンベヤーの間に比例分割された、図１及び４のゲート排出開口部の一番下の位置から９０度回転されたゲート排出部材中のゲート排出開口部を示している側面立面図である。
【図９】概括的に図８の線９−９に沿って採った断面図である。
【図１０】運搬システムから取り外したゲート排出管もしくは部材の側面立面図である。
【図１１】図９の線１１−１１に沿った断面図であり、テーパーした排出開口部及び分割フィンを表す。
【図１２】図９及び１１に示したフィンの側面図である。
【符号の説明】
１２  コンベヤー
１４  コンベヤー
１５  トレイ
２０  トラフ
２２  管
２６  ホッパー
８６  モータ
９２  排出開口部
【図１】
0004136439.tif 000002
【図２】
0004136439.tif 000003
【図３】
0004136439.tif 000004
【図４】
0004136439.tif 000005
【図５】
0004136439.tif 000006
【図６】
0004136439.tif 000007
【図７】
0004136439.tif 000008
【図８】
0004136439.tif 000009
【図９】
0004136439.tif 000010
【図１０】
0004136439.tif 000011
【図１１】
0004136439.tif 000012
【図１２】
0004136439.tif 000013